(57)【要約】【課題】  簡素かつコンパクトな構造で、積層シートを最後まで取出し易くすること。【解決手段】  容器１であって、容器本体１０の相対する第１と第２の壁１１、１２の各内面の間にシート支持体４０を設け、シート支持体４０は、積層シート１００が載置されるシート載置部４０Ａを中央に備えるとともに、シート載置部４０Ａから延在される第１と第２の脚部４１、４２を備え、第１と第２の各脚部４１、４２は、シート載置部４０Ａから容器本体１０の第１と第２の壁１１、１２の各内面と容器本体１０の底面１５との各交差部１３、１４に向けて斜交する方向に延びる各弾性脚片４１Ａ、４２Ａを有するもの。【選択図】  図１
2011020706.tif 000002
【特許請求の範囲】
【請求項１】
積層シートを収納するとともに、該積層シートの取出し口を上面に備えた容器本体と、
容器本体の取出し口を開閉する蓋とを有してなる容器であって、
容器本体の相対する第１と第２の壁の各内面の間にシート支持体を設け、
シート支持体は、積層シートが載置されるシート載置部を中央に備えるとともに、シート載置部から延在される第１と第２の脚部を備え、
第１と第２の各脚部は、シート載置部から容器本体の第１と第２の壁の各内面と容器本体の底面との各交差部に向けて斜交する方向に延びる各弾性脚片を有し、
第１と第２の脚部の少なくとも一方は、容器本体の平面視で、シート載置部から互いに拡開する方向に延在する２本の弾性脚片を有し、
第１と第２の各脚部は、シート載置部が容器本体の底面に対して上下動するのに応じて、それらの弾性脚片を容器本体の前記交差部に沿って横移動させる容器。
【請求項２】
前記第１と第２の各脚部が有する弾性脚片は、板状弾性体からなる請求項１に記載の容器。
【請求項３】
前記容器本体の各交差部は、第１と第２の各脚部が有する弾性脚片の先端部が摺動自在に係入するガイド溝を備える請求項１又は２に記載の容器。
【発明の詳細な説明】
【技術分野】
【０００１】
本発明は容器に関する。
【背景技術】
【０００２】
ティッシュー等の積層シートを収納する容器において、シートの内容量が少なくなってもシートを取出し易くしたものとして、特許文献１、２に記載のものがある。
【０００３】
特許文献１に記載の容器は、容器本体の底面に、積層シートの包装体を押上げるための復元弾性を有するベロー状の支持体を設ける。包装体を、シートの減少に伴なって、容器本体の取出し口の側へ押上げて取出し易くしようとしたものである。
【０００４】
特許文献２に記載のティッシュー包装体は容器の内蓋内面に着脱可能であり、ティッシュー包装体の外装シートの側面に高さ方向へ収縮可能な弾性材料を伸長状態で設けたものである。ティッシュー包装体は、ティッシューの残量が少なくなるにつれて、外装シートが側面において高さ方向に収縮するから、ティッシューが踊ることがなく、連続して取出しできるようにしたものである。
【先行技術文献】
【特許文献】
【０００５】
【特許文献１】実開昭60-150969
【特許文献２】特開平8-80981
【発明の概要】
【発明が解決しようとする課題】
【０００６】
特許文献１に記載の容器は、容器本体の内部にベロー状の支持体を設置するものであり、ベロー状の支持体が嵩張って、容器本体がその分だけ大型になる。
【０００７】
特許文献２に記載のティッシュー包装体は、内蓋の内面にティッシュー包装体を着脱する構造が必要になるし、ティッシュー包装体毎に収縮可能な弾性材料を設ける必要があり、複雑でコスト高になる。
【０００８】
本発明の課題は、簡素かつコンパクトな構造で、積層シートを最後まで取出し易くすることにある。
【課題を解決するための手段】
【０００９】
請求項１の発明は、積層シートを収納するとともに、該積層シートの取出し口を上面に備えた容器本体と、容器本体の取出し口を開閉する蓋とを有してなる容器であって、容器本体の相対する第１と第２の壁の各内面の間にシート支持体を設け、シート支持体は、積層シートが載置されるシート載置部を中央に備えるとともに、シート載置部から延在される第１と第２の脚部を備え、第１と第２の各脚部は、シート載置部から容器本体の第１と第２の壁の各内面と容器本体の底面との各交差部に向けて斜交する方向に延びる各弾性脚片を有し、第１と第２の脚部の少なくとも一方は、容器本体の平面視で、シート載置部から互いに拡開する方向に延在する２本の弾性脚片を有し、第１と第２の各脚部は、シート載置部が容器本体の底面に対して上下動するのに応じて、それらの弾性脚片を容器本体の前記交差部に沿って横移動させるようにしたものである。
【発明の効果】
【００１０】
本発明の容器は、容器本体の内部にシート支持体を設け、シート支持体のシート載置部から延出される第１と第２の各脚部が、容器本体の内面と底面との交差部に向けて斜交する方向に延びる弾性脚片を有するものにしたから、簡素かつコンパクトな構造で、積層シートを最後まで取出し易くすることができる。
【図面の簡単な説明】
【００１１】
【図１】図１は容器を示す模式断面図である。
【図２】図２は容器本体に設けたシート支持体の挙動を示し、（Ａ）は模式断面図、（Ｂ）は模式平面図である。
【図３】図３の（Ａ）〜（Ｄ）はシート支持体の各種例を示す模式平面図である。
【図４】図４は容器のシート支持体が押し込まれた状態を示し、（Ａ）は模式断面図、（Ｂ）は模式側断面図、（Ｃ）は模式平面図である。
【図５】図５は容器のシート支持体が復元した状態を示し、（Ａ）は模式断面図、（Ｂ）は模式側断面図、（Ｃ）は模式平面図である。
【図６】図６は容器本体に設けるガイド溝を示す模式断面図である。
【図７】図７は容器の使用方法を示す模式図である。
【発明を実施するための形態】
【００１２】
図１に示す容器１は、容器本体１０と蓋３０とを有する。容器本体１０は、例えばプラスチック製であり、上面開口の有底直方体状をなし、上面に着脱自在に嵌着されて一体をなす天蓋２０の中央に取出し口２１を備える。容器本体１０は、天蓋２０を取外した状態で積層シート１００を収納可能にし、天蓋２０を取付けた状態で積層シート１００の上層側のシートを１枚ずつ取出し口２１からつまみ出して取出し可能にする。尚、積層シート１００は、図７に示す如く、包装体１０１に包装された状態で容器本体１０に収納されても良く、包装体１０１に包装されない状態で容器本体１０に収納されても良い。
【００１３】
蓋３０は、例えばプラスチック製であり、容器本体１０の天蓋２０の取出し口２１を開閉可能にする。蓋３０は、天蓋２０にヒンジ結合されるものでも良く、着脱されるものでも良い。容器１は、蓋３０により容器本体１０の天蓋２０の取出し口２１を閉じたとき、容器本体１０の内部スペースを外界に対して密閉できる密閉性容器とすることができ、例えば積層シートに含ませてある薬液の揮散を防止することができる。
【００１４】
容器１は、図１、図２に示す如く、容器本体１０の相対する第１と第２の壁１１、１２の各内面の間にシート支持体４０を設ける。シート支持体４０は、積層シート１００が載置される例えば矩形状のシート載置部４０Ａを中央に備えるとともに、シート載置部４０Ａの両側辺（第１と第２の壁１１、１２のそれぞれに臨む側辺）から延出される第１と第２の脚部４１、４２を備える。第１と第２の各脚部４１、４２は、シート載置部４０Ａから容器本体１０の第１と第２の壁１１、１２の各内面と容器本体１０の底面１５との各交差部１３、１４に向けて斜交する斜め下方向に延びる各弾性脚片４１Ａ、４２Ａを有する。
【００１５】
このとき、シート支持体４０は、板ばね等の板状弾性体によりそれらのシート載置部４０Ａ、脚部４１、４２の全体を構成している。シート支持体４０は、シート載置部４０Ａにこれと別体の脚部４１、４２を接合し、脚部４１、４２の少なくとも弾性脚片４１Ａ、４２Ａを板状弾性体からなるものにしても良い。
【００１６】
また、容器本体１０の各交差部１３、１４は、第１と第２の各脚部４１、４２の弾性脚片４１Ａ、４２Ａの先端部が摺動自在に係入するガイド溝１３Ａ、１４Ａを備えるものとすることができる。このとき、容器本体１０の各交差部１３、１４に備えるガイド溝１３Ａ、１４Ａは、その溝壁、少なくとも底面１５に交差する溝壁１３Ｂ、１４Ｂが該底面１５に交差してなす勾配を、容器本体１０の樹脂金型成形時に金型から抜ける程度の逆勾配とする（図６）。そして、第１と第２の各脚部４１、４２の弾性脚片４１Ａ、４２Ａが後述する如くに押し込み弾性変形するときに、それらの弾性脚片４１Ａ、４２Ａにねじり力が加わっても、それらの弾性脚片４１Ａ、４２Ａがガイド溝１３Ａ、１４Ａに動き易く係入するものとなるように、弾性脚片４１Ａ、４２Ａのガイド溝１３Ａ、１４Ａに嵌る先端を動き易い形状、好ましくは球面状にする。
【００１７】
更に、シート支持体４０にあっては、第１と第２の脚部４１、４２の少なくとも一方、本実施例では第１と第２の脚部４１、４２の両方とも、容器本体１０の平面視（図２（Ｂ））で、シート載置部４０Ａから互いに離隔する方向へ延在する２本の弾性脚片４１Ａ、４２Ａを有する。第１の脚部４１の２本の弾性脚片４１Ａ、４１Ａは、シート載置部４０Ａの一側辺（第１の壁１１に臨む脚片）の両端部から互いに離隔する斜め下向き方向に延びて、容器本体１０の交差部１３（ガイド溝１３Ａ）上の２点のそれぞれに斜交する。第２の脚部４２の２本の弾性脚片４２Ａ、４２Ａは、シート載置部４０Ａの他側辺（第２の壁１２に臨む側片）の両端部から互いに離隔する斜め下向き方向に延びて、容器本体１０の交差部１４（ガイド溝１４Ａ）上の２点のそれぞれに斜交する。従って、シート支持体４０は、図３（Ａ）に示す如く、矩形状シート載置部４０Ａの外周の各角部から弾性脚片４１Ａ、４１Ａ、４２Ａ、４２Ａを有する。尚、シート支持体４０は、図３（Ｂ）〜（Ｄ）に示す如くに変形でき、図３（Ｂ）はシート載置部４０Ａの中央に四角孔を設けたもの、図３（Ｃ）はシート載置部４０Ａの中央に十字孔を設けたもの、図３（Ｄ）はシート載置部４０Ａを円環状にしたものである。
【００１８】
そして、シート支持体４０において、第１と第２の脚部４１、４２は、シート載置部４０Ａが図２（Ａ）に実線と２点鎖線で示す如くに容器本体１０の底面１５に対して上下動するのに応じて、それらの弾性脚片４１Ａ、４２Ａを容器本体１０の交差部１３、１４（ガイド溝１３Ａ、１４Ａ）に沿って横移動させる。シート載置部４０Ａが積層シート１００を載置されて押し込まれて下動するとき、第１の脚部４１の２本の弾性脚片４１Ａは実線で示す自由状態から互いに拡開するように離隔する方向へ２点鎖線で示す如くに横移動しつつ押し込み弾性変形するものになり、第２の脚部４２の２本の弾性脚片４２Ａは実線で示す自由状態から互いに拡開するように離隔する方向へ２点鎖線で示す如くに横移動しつつ押し込み弾性変形するものになる。
【００１９】
容器１は、以上の構成を具備することにより、以下の作用効果を奏するものになる。
(a)シート支持体４０のシート載置部４０Ａから延出される第１と第２の各脚部４１、４２が、シート載置部４０Ａの上下動に応じて、容器本体１０の壁１１、１２の内面と底面１５との交差部１３、１４に沿って横移動する。従って、図４に示す如く、積層シート１００をシート載置部４０Ａの上に載せたシート支持体４０を容器本体１０の中に押し込み収納するとき、シート載置部４０Ａに付与される押し込み力が第１と第２の各脚部４１、４２の弾性脚片４１Ａ、４２Ａを横移動させつつ押し込み弾性変形させ、この押し込み弾性変形に反発する上向き復元力を各弾性脚片４１Ａ、４２Ａに付与するものになる。シート支持体４０に載せた積層シート１００をこのようにして容器本体１０の中に押し込み収納して保持した状態で、積層シート１００が図５に示す如くに減少するに従い、第１と第２の各脚部４１、４２の弾性脚片４１Ａ、４２Ａは、この上向き復元力により上向きに復元してシート載置部４０Ａ、ひいては積層シート１００に押上力を付与し、積層シート１００を容器本体１０の取出し口２１の側へ確実に押上げて取出し易くする。単一のシート支持体４０だけを用いる簡素で低コストの構造により、積層シート１００を最後まで取出し易くすることができる。
【００２０】
(b)シート支持体４０のシート載置部４０Ａから延在される第１と第２の各脚部４１、４２の弾性脚片４１Ａ、４２Ａを容器本体１０の壁１１、１２の内面と底面１５との交差部１３、１４に位置付けるだけで、シート支持体４０を容器本体１０の内部に簡易に組付けできる。
【００２１】
(c)積層シート１００をシート載置部４０Ａの上に載せて容器本体１０の中に押し込み収納するとき、第１と第２の各脚部４１、４２の弾性脚片４１Ａ、４２Ａを容器本体１０の壁１１、１２の内面と底面１５との交差部１３、１４に沿って横移動させつつ押し込み弾性変形させ、シート載置部４０Ａに大きな押し込みストロークを付与できる。また、シート載置部４０Ａと、第１と第２の各脚部４１、４２を含むシート支持体４０の全体がほぼ平らになって容器本体１０の底面１５に近接する位置まで押し込み弾性変形し得るものになり、シート載置部４０Ａの上に載置される積層シート１００が容器本体１０の内部に占める収納容量を容器本体１０の概ね全高近くまで大きくとることができる。
【００２２】
(d)積層シート１００は常にその下面の中央をシート載置部４０Ａに載置して押上げられ、積層シート１００がずれたり、しわを生ずることがない。
【００２３】
(e)第１と第２の各脚部４１、４２が有する弾性脚片４１Ａ、４２Ａは、板状弾性体からなる。従って、この弾性脚片４１Ａ、４２Ａは、横移動しつつ押し込み弾性変形するとき、その板状部分を弾性曲げ変形及び弾性ねじり変形するものになり、この弾性曲げ変形及び弾性ねじり変形に反発する大きな上向き復元力を付与されるものになる。弾性脚片４１Ａ、４２Ａは棒状弾性体からなるものでも良い。
【００２４】
(f)容器本体１０の各交差部１３、１４は、第１と第２の各脚部４１、４２が有する弾性脚片４１Ａ、４２Ａの先端部が摺動自在に係入するガイド溝１３Ａ、１４Ａを備える。積層シート１００をシート載置部４０Ａの上に載せて容器本体１０の中に押し込み収納するとき、第１と第２の各脚部４１、４２の弾性脚片４１Ａ、４２Ａを上記交差部１３、１４のガイド溝１３Ａ、１４Ａに案内して安定的に横移動させるものになる。
【産業上の利用可能性】
【００２５】
本発明の容器は、簡素かつコンパクトな構造で、積層シートを最後まで取出し易くすることができる。
【符号の説明】
【００２６】
１  容器
１０  容器本体
１１  第１の壁
１２  第２の壁
１３、１４  交差部
１３Ａ、１４Ａ  ガイド溝
１５  底面
２１  取出し口
３０  蓋
４１  第１の脚部
４２  第２の脚部
４１Ａ、４２Ａ  弾性脚片
１００  積層シート
【図１】
2011020706.tif 000003
【図２】
2011020706.tif 000004
【図３】
2011020706.tif 000005
【図４】
2011020706.tif 000006
【図５】
2011020706.tif 000007
【図６】
2011020706.tif 000008
【図７】
2011020706.tif 000009